【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
所定の表示部に地図を表示するための地図表示システムであって、
地図画像を表す地図画像データを記憶する地図画像データ記憶手段と、
前記地図画像上に存在する特定物の位置を表す位置データを記憶する位置データ記憶手段と、
前記地図画像データに基づき前記地図画像のうちの所定の表示範囲を前記表示部に表示する地図画像表示手段と、
前記表示範囲を特定するための表示範囲特定情報を取得する表示範囲取得手段と、
前記表示範囲の外側の領域であって、前記表示範囲から所定方向にある所定方向外部領域に存在する前記特定物を前記位置データに基づいて検索する特定物検索手段と、
前記検索された特定物に関連する特定物表示を、前記所定方向を認識可能な態様で、前記表示部に表示する特定物表示手段と、
を備える地図表示システム。
【請求項２】
請求項１に記載の地図表示システムにおいて、前記特定物検索手段が複数の前記特定物を検索した場合には、前記特定物表示手段は前記表示範囲内の代表点との距離が最も近い前記特定物の前記特定物表示を表示する、地図表示システム。
【請求項３】
請求項１または２に記載の地図表示システムにおいて、
前記特定物検索手段は、さらに、前記表示範囲の内側であって、前記表示範囲の前記所定方向の縁部に沿った領域である所定方向内部領域に存在する前記特定物を前記位置データに基づいて検索する、地図表示システム。
【請求項４】
請求項３に記載の地図表示システムにおいて、
前記所定方向は、第１の方向と、第２の方向とを含み、
前記第１の方向側の前記所定方向内部領域と前記第２の方向側の前記所定方向内部領域とが重なる場合であって、前記第１の方向側の前記所定方向内部領域と前記第２の方向側の前記所定方向内部領域とが重なる領域において、前記特定物検索手段が前記特定物を検索した場合には、前記特定物表示手段は、前記重なる領域において検索された前記特定物の前記特定物表示を、第１の方向と第２方向を認識可能な態様で、前記表示部に表示する、地図表示システム。
【請求項５】
請求項１ないし請求項４のいずれかに記載の地図表示システムは、さらに、
利用者の移動手段を認識する移動手段認識手段を備え、
前記前記所定方向外部領域の前記所定方向の巾は、前記移動手段に応じて定められる、地図表示システム。
【請求項６】
請求項１ないし請求項５のいずれかに記載の地図表示システムにおいて、
前記位置データ記憶手段は、複数種類の前記特定物について前記位置データを記憶し、
前記特定物検索手段は、前記表示範囲の大きさに応じて、前記複数種類の中から検索すべき特定物の種類を決定する、地図表示システム。
【請求項７】
請求項１ないし請求項４、および請求項６のうちのいずれかに記載の地図表示システムは、さらに、
利用者の移動手段を認識する移動手段認識手段を備え、
前記位置データ記憶手段は、複数種類の前記特定物について前記位置データを記憶し、
前記特定物検索手段は、前記移動手段に応じて、前記複数種類の中から検索すべき特定物の種類を決定する、地図表示システム。
【請求項８】
請求項５に記載の地図表示システムにおいて、
前記位置データ記憶手段は、複数種類の前記特定物について前記位置データを記憶し、
前記特定物検索手段は、前記移動手段に応じて、前記複数種類の中から検索すべき特定物の種類を決定する、地図表示システム。
【請求項９】
所定の表示部に地図画像を表示可能な端末と通信可能な地図表示サーバであって、
地図画像を表す地図画像データを記憶する地図画像データ記憶手段と、
前記地図画像上に存在する特定物の位置を表す位置データを記憶する位置データ記憶手段と、
前記地図画像データの少なくとも一部を、前記端末に送信する地図画像データ送信手段と、
前記地図画像データに基づく前記地図画像のうち、前記端末が表示している表示範囲を特定するための表示範囲特定情報を前記端末から取得する表示範囲取得手段と、
前記表示範囲の外側の領域であって、前記表示範囲から所定方向にある所定方向外部領域に存在する前記特定物を前記位置データに基づいて検索する特定物検索手段と、
前記検索された特定物に関連する特定物情報を、前記端末に送信する特定物情報送信手段と、
を備える、地図表示サーバ。
【請求項１０】
地図画像を表す地図画像データと前記地図画像上に存在する特定物の位置を表す位置データとを記憶する地図表示サーバと通信し、所定の表示部に地図を表示する地図表示端末であって、
前記地図画像データの少なくとも一部を前記地図表示サーバから取得する地図画像データ取得手段と、
前記取得された地図画像データに基づき前記地図画像のうちの所定の表示範囲を前記表示部に表示する地図画像表示手段と、
前記表示範囲を特定するための表示範囲特定情報を前記地図表示サーバに送信し、前記地図表示サーバに前記表示範囲から所定方向にある特定物の検索を要求する表示範囲特定情報送信手段と、
前記地図表示サーバにより検索された特定物に関連する特定物情報を前記地図サーバから取得する特定物情報取得手段と、
前記取得された特定物情報に関連する特定物表示を、前記所定方向を認識可能な態様で、前記表示部に表示する特定物表示手段と、
を備える地図表示端末。
【請求項１１】
請求項１０に記載の地図表示端末は、さらに、
利用者の移動手段を特定する移動手段特定手段を備え、
前記表示範囲特定情報送信手段は、前記表示範囲特定情報と共に、前記移動手段を特定するための移動手段情報を前記地図表示サーバに送信し、
前記地図表示サーバは、前記特定物の検索を、前記移動手段に応じて実行する、地図表示端末。
【請求項１２】
所定の表示部を備える端末と、前記端末と通信可能なサーバとを備えるシステムにおける地図表示方法であって、
前記サーバーは、
地図画像を表す地図画像データを記憶し、
前記地図画像上に存在する特定物の位置を表す位置データを記憶し、
前記端末から、前記地図画像のうちの所定の表示範囲を特定するための表示範囲特定情報を取得し、
前記表示範囲の外側の領域であって、前記表示範囲から所定方向にある所定方向外部領域に存在する前記特定物を前記位置データに基づいて検索し、
前記端末は、前記検索された特定物に関連する特定物表示を、前記所定方向を認識可能な態様で、前記表示部に表示する地図表示方法。
【請求項１３】
所定の表示部に地図画像を表示可能な端末と通信可能であって、地図画像を表す地図画像データを記憶する地図画像データ記憶手段と、前記地図画像上に存在する特定物の位置を表す位置データを記憶する位置データ記憶手段にアクセス可能なコンピュータのためのコンピュータプログラムであって、
前記地図画像データの少なくとも一部を、前記端末に送信する第１の機能と、
前記地図画像データに基づく前記地図画像のうち、前記端末が表示している表示範囲を特定するための表示範囲特定情報を前記端末から取得する第２の機能と、
前記表示範囲の外側の領域であって、前記表示範囲から所定方向にある所定方向外部領域に存在する前記特定物を前記位置データに基づいて検索する第３の機能と、
前記検索された特定物に関連する特定物情報を、前記端末に送信する第４の機能と、
を前記コンピュータに実現させる、コンピュータプログラム。
【請求項１４】
地図画像を表す地図画像データと前記地図画像上に存在する特定物の位置を表す位置データとを記憶する地図表示サーバと通信可能であり、所定の表示部を有する端末装置のためのコンピュータプログラムであって、
前記地図画像データの少なくとも一部を前記地図表示サーバから取得する第１の機能と、
前記取得された地図画像データに基づき前記地図画像のうちの所定の表示範囲を前記表示部に表示する第２の機能と、
前記表示範囲を特定するための表示範囲特定情報を前記地図表示サーバに送信し、前記地図表示サーバに前記表示範囲から所定方向にある特定物の検索を要求する第３の機能と、
前記地図表示サーバにより検索された特定物に関連する特定物情報を前記地図サーバから取得する第４の機能と、
前記取得された特定物情報に関連する特定物表示を、前記所定方向を認識可能な態様で、前記表示部に表示する第５の機能と、
を前記端末装置が有するコンピュータに実現させるコンピュータプログラム。
【手続補正２】
【補正対象書類名】明細書
【補正対象項目名】００１１
【補正方法】変更
【補正の内容】
【００１１】
適用例１に係る地図表示システムにおいて、前記所定方向は、第１の方向と、第２の方向とを含み、前記第１の方向側の前記所定方向内部領域と前記第２の方向側の前記所定方向内部領域とが重なる場合であって、前記第１の方向側の前記所定方向内部領域と前記第２の方向側の前記所定方向内部領域とが重なる領域において、前記特定物検索手段が前記特定物を検索した場合には、前記特定物表示手段は、前記重なる領域において検索された前記特定物の前記特定物表示を、第１の方向と第２方向を認識可能な態様で、前記表示部に表示しても良い。こうすれば、表示範囲の角部に表示されている特定物に関連する特定物表示が、角部を挟む２方向を認識可能な態様で表示されるので、利用者が特定物表示に違和感を感じることを抑制することができる。